(57)【要約】【課題】ワイヤレス機器での通話試験を実施することなく、音声信号ラインの接続確認を容易に実施することができる通信端末装置の検査方法、プログラム、および通信端末装置を提供する。【解決手段】音声信号をデジタル信号化して伝達するＰＣＭデータラインと、音声通信を無線で行うための制御を行う無線制御部とが接続され、ＰＣＭデータラインを構成する複数の信号がそれぞれ接続される複数のＩＯポートを無線制御部内に備えた通信端末装置の検査方法であって、無線制御部に内蔵された複数のＩＯポートから論理を読み出し、読み出し結果に基づいて、通信端末装置が良品か不良品かを判定する。【選択図】図７
2008147854.tif 000002
【特許請求の範囲】
【請求項１】
音声信号をデジタル信号化して伝達するＰＣＭデータラインと、音声通信を無線で行うための制御を行う無線制御部とが接続され、前記ＰＣＭデータラインを構成する複数の信号がそれぞれ接続される複数のＩＯポートを前記無線制御部内に備えた通信端末装置の検査方法であって、
前記無線制御部に内蔵された前記複数のＩＯポートから論理を読み出し、
前記読み出し結果に基づいて、前記通信端末装置が良品か不良品かを判定することを特徴とする通信端末装置の検査方法。
【請求項２】
前記通信端末装置は、
前記無線制御部と、入力される音声信号を音声データに変換する処理、および、出力される音声データを音声信号に変換する処理を行う音声処理部と、前記無線制御部および前記音声処理部の制御を行う制御部と、を有し、前記制御部と、前記無線制御部および前記音声処理部とが、前記ＰＣＭデータラインで共有接続されており、
前記ＰＣＭデータラインは、ＰＣＭデータを出力するＤＡＴＯ信号、ＰＣＭデータラインのタイミングを取るＣＬＫ信号およびＳＹＮＣ信号、ＰＣＭデータを入力するＤＡＴＩ信号の４つの信号で構成され、
前記制御部には、前記４つの信号が割り当てられており、
前記無線制御部内に備えられた前記複数のＩＯポートは、抵抗による内部プルアップを設定可能な第１のスイッチをそれぞれ備え、
前記音声処理部は、前記ＤＡＴＯ信号の入力を内部でループバックして前記ＤＡＴＩ信号に出力するための第２のスイッチと、前記ＤＡＴＩ信号に出力する信号の切り替えを行う第３のスイッチと、を備え、
前記４つの信号がそれぞれ接続されている前記各ＩＯポートの論理を読み出す第１の論理読出ステップと、
前記第１の論理読出ステップの読み出し結果が、すべてＬ論理ではない場合、前記通信端末装置を不良品として判定する第１の判定ステップと、
前記第１の論理読出ステップの読み出し結果が、すべてＬ論理である場合、前記ＤＡＴＯ信号に接続されているＩＯポートの出力をＨ論理に設定するＨ論理設定ステップと、
前記第２のスイッチをＯＮに設定する第２のスイッチ設定ステップと、
前記ＣＬＫ信号および前記ＳＹＮＣ信号にそれぞれ接続されている前記各ＩＯポートに内蔵された前記第１のスイッチをＯＮに設定する第１のスイッチ設定ステップと、
前記４つの信号がそれぞれ接続されている前記各ＩＯポートの論理を再び読み出す第２の論理読出ステップと、
前記第２の論理読出ステップの読み出し結果が、前記ＤＡＴＯ信号および前記ＤＡＴＩ信号がＨ論理であり、かつ、前記ＣＬＫ信号および前記ＳＹＮＣ信号がＬ論理である場合は前記通信端末装置を良品として判定し、また、前記ＤＡＴＯ信号および前記ＤＡＴＩ信号がＨ論理であり、かつ、前記ＣＬＫ信号および前記ＳＹＮＣ信号がＬ論理ではない場合は前記通信端末装置を不良品として判定する第２の判定ステップと、
を実行することを特徴とする請求項１記載の通信端末装置の検査方法。
【請求項３】
前記通信端末装置は、
前記無線制御部内に備えられた前記複数のＩＯポートのうち、前記ＤＡＴＩ信号に接続されているＩＯポートの代わりにＡ／Ｄコンバータを備え、
前記第１の論理読出ステップ及び前記第２の論理読出ステップでは、前記Ａ／Ｄコンバータにて前記ＤＡＴＩ信号の電圧を読み出すことを特徴とする請求項２記載の通信端末装置の検査方法。
【請求項４】
音声信号をデジタル信号化して伝達するＰＣＭデータラインと、音声通信を無線で行うための制御を行う無線制御部とが接続され、前記ＰＣＭデータラインを構成する複数の信号がそれぞれ接続される複数のＩＯポートを前記無線制御部内に備えた通信端末装置を検査するためのプログラムであって、
前記通信端末装置に、
前記無線制御部に内蔵された前記複数のＩＯポートから論理を読み出す処理と、
前記読み出し結果に基づいて、前記通信端末装置が良品か不良品かを判定する処理と、
を実行させることを特徴とするプログラム。
【請求項５】
前記通信端末装置は、
前記無線制御部と、入力される音声信号を音声データに変換する処理、および、出力される音声データを音声信号に変換する処理を行う音声処理部と、前記無線制御部および前記音声処理部の制御を行う制御部と、を有し、前記制御部と、前記無線制御部および前記音声処理部とが、前記ＰＣＭデータラインで共有接続されており、
前記ＰＣＭデータラインは、ＰＣＭデータを出力するＤＡＴＯ信号、ＰＣＭデータラインのタイミングを取るＣＬＫ信号およびＳＹＮＣ信号、ＰＣＭデータを入力するＤＡＴＩ信号の４つの信号で構成され、
前記制御部には、前記４つの信号が割り当てられており、
前記無線制御部内に備えられた前記複数のＩＯポートは、抵抗による内部プルアップを設定可能な第１のスイッチをそれぞれ備えており、
前記音声処理部は、前記ＤＡＴＯ信号の入力を内部でループバックして前記ＤＡＴＩ信号に出力するための第２のスイッチと、前記ＤＡＴＩ信号に出力する信号の切り替えを行う第３のスイッチと、を備えており、
前記通信端末装置に、
前記４つの信号がそれぞれ接続されている前記各ＩＯポートの論理を読み出す第１の論理読出処理と、
前記第１の論理読出処理の読み出し結果が、すべてＬ論理ではない場合、前記通信端末装置を不良品として判定する第１の判定処理と、
前記第１の論理読出処理の読み出し結果が、すべてＬ論理である場合、前記ＤＡＴＯ信号に接続されているＩＯポートの出力をＨ論理に設定するＨ論理設定処理と、
前記第２のスイッチをＯＮに設定する第２のスイッチ設定処理と、
前記ＣＬＫ信号および前記ＳＹＮＣ信号にそれぞれ接続されている前記各ＩＯポートに内蔵された前記第１のスイッチをＯＮに設定する第１のスイッチ設定処理と、
前記４つの信号がそれぞれ接続されている前記各ＩＯポートの論理を再び読み出す第２の論理読出処理と、
前記第２の論理読出処理の読み出し結果が、前記ＤＡＴＯ信号および前記ＤＡＴＩ信号がＨ論理であり、かつ、前記ＣＬＫ信号および前記ＳＹＮＣ信号がＬ論理である場合は前記通信端末装置を良品として判定し、また、前記ＤＡＴＯ信号および前記ＤＡＴＩ信号がＨ論理であり、かつ、前記ＣＬＫ信号および前記ＳＹＮＣ信号がＬ論理ではない場合は前記通信端末装置を不良品として判定する第２の判定処理と、
を実行させることを特徴とする請求項４記載のプログラム。
【請求項６】
前記通信端末装置は、
前記無線制御部内に備えられた前記複数のＩＯポートのうち、前記ＤＡＴＩ信号に接続されているＩＯポートの代わりにＡ／Ｄコンバータを備えており、
前記通信端末装置に、
前記第１の論理読出処理及び前記第２の論理読出処理において、前記Ａ／Ｄコンバータにて前記ＤＡＴＩ信号の電圧を読み出す処理を実行させることを特徴とする請求項５記載のプログラム。
【請求項７】
音声信号をデジタル信号化して伝達するＰＣＭデータラインと、音声通信を無線で行うための制御を行う無線制御部とが接続され、前記ＰＣＭデータラインを構成する複数の信号がそれぞれ接続される複数のＩＯポートを前記無線制御部内に備えた通信端末装置であって、
前記無線制御部に内蔵された前記複数のＩＯポートから論理を読み出し、
前記読み出し結果に基づいて、前記通信端末装置が良品か不良品かを判定することを特徴とする通信端末装置。
【請求項８】
前記通信端末装置は、
前記無線制御部と、入力される音声信号を音声データに変換する処理、および、出力される音声データを音声信号に変換する処理を行う音声処理部と、前記無線制御部および前記音声処理部の制御を行う制御部と、を有し、前記制御部と、前記無線制御部および前記音声処理部とが、前記ＰＣＭデータラインで共有接続されており、
前記ＰＣＭデータラインは、ＰＣＭデータを出力するＤＡＴＯ信号、ＰＣＭデータラインのタイミングを取るＣＬＫ信号およびＳＹＮＣ信号、ＰＣＭデータを入力するＤＡＴＩ信号の４つの信号で構成され、
前記制御部には、前記４つの信号が割り当てられており、
前記無線制御部内に備えられた前記複数のＩＯポートは、抵抗による内部プルアップを設定可能な第１のスイッチをそれぞれ備え、
前記音声処理部は、前記ＤＡＴＯ信号の入力を内部でループバックして前記ＤＡＴＩ信号に出力するための第２のスイッチと、前記ＤＡＴＩ信号に出力する信号の切り替えを行う第３のスイッチと、を備え、
前記無線制御部は、前記４つの信号がそれぞれ接続されている前記各ＩＯポートの論理を読み出し、
前記制御部は、前記読み出し結果が、すべてＬ論理ではない場合、前記通信端末装置を不良品として判定し、
前記読み出し結果が、すべてＬ論理である場合、前記無線制御部は、前記ＤＡＴＯ信号に接続されているＩＯポートの出力をＨ論理に設定し、
前記音声処理部は、前記第２のスイッチをＯＮに設定し、
前記無線制御部は、前記ＣＬＫ信号および前記ＳＹＮＣ信号にそれぞれ接続されている前記各ＩＯポートに内蔵された前記第１のスイッチをＯＮに設定し、
前記無線制御部は、前記４つの信号がそれぞれ接続されている前記各ＩＯポートの論理を再び読み出し、
前記制御部は、前記読み出し結果が、前記ＤＡＴＯ信号および前記ＤＡＴＩ信号がＨ論理であり、かつ、前記ＣＬＫ信号および前記ＳＹＮＣ信号がＬ論理である場合は前記通信端末装置を良品として判定し、また、前記ＤＡＴＯ信号および前記ＤＡＴＩ信号がＨ論理であり、かつ、前記ＣＬＫ信号および前記ＳＹＮＣ信号がＬ論理ではない場合は前記通信端末装置を不良品として判定することを特徴とする請求項７記載の通信端末装置。
【請求項９】
前記通信端末装置は、
前記無線制御部内に備えられた前記複数のＩＯポートのうち、前記ＤＡＴＩ信号に接続されているＩＯポートの代わりにＡ／Ｄコンバータを備え、
前記無線制御部は、前記論理の読み出しの際、前記Ａ／Ｄコンバータにて前記ＤＡＴＩ信号の電圧を読み出すことを特徴とする請求項８記載の通信端末装置。
【発明の詳細な説明】
【技術分野】
【０００１】
本発明は、通信端末装置の検査方法、プログラム、および通信端末装置に関する。
【背景技術】
【０００２】
従来、携帯電話などの、音声信号を扱う通信端末装置（通信端末機器）の検査において、音声信号ラインが正常に接続されているかの検査が行われている。このような検査では、一般的な方法として、検査用の測定器との間で通話状態にして、作業者が正常に通話できることを確認することで実現している。
【０００３】
しかしながら、例えばBluetoothなどのワイヤレス機器を用いて通話ができる機能を有する携帯電話を検査する場合、上記従来の検査方法では不十分であり、すなわち、上記従来の検査方法に加えて、ワイヤレス機器での通話検査を追加で実施する必要があるため、検査時間が長くなってしまうという問題がある。
【０００４】
なお、通信端末装置の検査に係る従来技術例として、表示部に表示されたデータをシリアル出力し、確実な検査を行うことができる「携帯電話機及び携帯電話機の検査方法」が開示されているが（特許文献１参照）、この発明は、音声信号を扱う通信端末装置の検査において、音声信号ラインが正常に接続されているかの検査を行うものではない。
【特許文献１】特開２００３−２３４８１６号公報
【発明の開示】
【発明が解決しようとする課題】
【０００５】
本発明は、上記事情に鑑みてなされたものであり、ワイヤレス機器での通話試験を実施することなく、音声信号ラインの接続確認を容易に実施することができる通信端末装置の検査方法、プログラム、および通信端末装置を提供することを目的とする。
【課題を解決するための手段】
【０００６】
かかる目的を達成するために、請求項１記載の発明は、音声信号をデジタル信号化して伝達するＰＣＭデータラインと、音声通信を無線で行うための制御を行う無線制御部とが接続され、ＰＣＭデータラインを構成する複数の信号がそれぞれ接続される複数のＩＯポートを無線制御部内に備えた通信端末装置の検査方法であって、無線制御部に内蔵された複数のＩＯポートから論理を読み出し、読み出し結果に基づいて、通信端末装置が良品か不良品かを判定することを特徴とする。
【０００７】
請求項２記載の発明は、請求項１記載の発明において、通信端末装置は、無線制御部と、入力される音声信号を音声データに変換する処理、および、出力される音声データを音声信号に変換する処理を行う音声処理部と、無線制御部および音声処理部の制御を行う制御部と、を有し、制御部と、無線制御部および音声処理部とが、ＰＣＭデータラインで共有接続されており、ＰＣＭデータラインは、ＰＣＭデータを出力するＤＡＴＯ信号、ＰＣＭデータラインのタイミングを取るＣＬＫ信号およびＳＹＮＣ信号、ＰＣＭデータを入力するＤＡＴＩ信号の４つの信号で構成され、制御部には、４つの信号が割り当てられており、無線制御部内に備えられた複数のＩＯポートは、抵抗による内部プルアップを設定可能な第１のスイッチをそれぞれ備え、音声処理部は、ＤＡＴＯ信号の入力を内部でループバックしてＤＡＴＩ信号に出力するための第２のスイッチと、ＤＡＴＩ信号に出力する信号の切り替えを行う第３のスイッチと、を備え、４つの信号がそれぞれ接続されている各ＩＯポートの論理を読み出す第１の論理読出ステップと、第１の論理読出ステップの読み出し結果が、すべてＬ論理ではない場合、通信端末装置を不良品として判定する第１の判定ステップと、第１の論理読出ステップの読み出し結果が、すべてＬ論理である場合、ＤＡＴＯ信号に接続されているＩＯポートの出力をＨ論理に設定するＨ論理設定ステップと、第２のスイッチをＯＮに設定する第２のスイッチ設定ステップと、ＣＬＫ信号およびＳＹＮＣ信号にそれぞれ接続されている各ＩＯポートに内蔵された第１のスイッチをＯＮに設定する第１のスイッチ設定ステップと、４つの信号がそれぞれ接続されている各ＩＯポートの論理を再び読み出す第２の論理読出ステップと、第２の論理読出ステップの読み出し結果が、ＤＡＴＯ信号およびＤＡＴＩ信号がＨ論理であり、かつ、ＣＬＫ信号およびＳＹＮＣ信号がＬ論理である場合は通信端末装置を良品として判定し、また、ＤＡＴＯ信号およびＤＡＴＩ信号がＨ論理であり、かつ、ＣＬＫ信号およびＳＹＮＣ信号がＬ論理ではない場合は通信端末装置を不良品として判定する第２の判定ステップと、を実行することを特徴とする。
【０００８】
通信端末装置は、請求項３記載の発明は、請求項２記載の発明において、無線制御部内に備えられた複数のＩＯポートのうち、ＤＡＴＩ信号に接続されているＩＯポートの代わりにＡ／Ｄコンバータを備え、第１の論理読出ステップ及び第２の論理読出ステップでは、Ａ／ＤコンバータにてＤＡＴＩ信号の電圧を読み出すことを特徴とする。
【０００９】
請求項４記載の発明は、音声信号をデジタル信号化して伝達するＰＣＭデータラインと、音声通信を無線で行うための制御を行う無線制御部とが接続され、ＰＣＭデータラインを構成する複数の信号がそれぞれ接続される複数のＩＯポートを無線制御部内に備えた通信端末装置を検査するためのプログラムであって、通信端末装置に、無線制御部に内蔵された複数のＩＯポートから論理を読み出す処理と、読み出し結果に基づいて、通信端末装置が良品か不良品かを判定する処理と、を実行させることを特徴とする。
【００１０】
請求項５記載の発明は、請求項４記載の発明において、通信端末装置は、無線制御部と、入力される音声信号を音声データに変換する処理、および、出力される音声データを音声信号に変換する処理を行う音声処理部と、無線制御部および音声処理部の制御を行う制御部と、を有し、制御部と、無線制御部および音声処理部とが、ＰＣＭデータラインで共有接続されており、ＰＣＭデータラインは、ＰＣＭデータを出力するＤＡＴＯ信号、ＰＣＭデータラインのタイミングを取るＣＬＫ信号およびＳＹＮＣ信号、ＰＣＭデータを入力するＤＡＴＩ信号の４つの信号で構成され、制御部には、４つの信号が割り当てられており、無線制御部内に備えられた複数のＩＯポートは、抵抗による内部プルアップを設定可能な第１のスイッチをそれぞれ備えており、音声処理部は、ＤＡＴＯ信号の入力を内部でループバックしてＤＡＴＩ信号に出力するための第２のスイッチと、ＤＡＴＩ信号に出力する信号の切り替えを行う第３のスイッチと、を備えており、通信端末装置に、４つの信号がそれぞれ接続されている各ＩＯポートの論理を読み出す第１の論理読出処理と、第１の論理読出処理の読み出し結果が、すべてＬ論理ではない場合、通信端末装置を不良品として判定する第１の判定処理と、第１の論理読出処理の読み出し結果が、すべてＬ論理である場合、ＤＡＴＯ信号に接続されているＩＯポートの出力をＨ論理に設定するＨ論理設定処理と、第２のスイッチをＯＮに設定する第２のスイッチ設定処理と、ＣＬＫ信号およびＳＹＮＣ信号にそれぞれ接続されている各ＩＯポートに内蔵された第１のスイッチをＯＮに設定する第１のスイッチ設定処理と、４つの信号がそれぞれ接続されている各ＩＯポートの論理を再び読み出す第２の論理読出処理と、第２の論理読出処理の読み出し結果が、ＤＡＴＯ信号およびＤＡＴＩ信号がＨ論理であり、かつ、ＣＬＫ信号およびＳＹＮＣ信号がＬ論理である場合は通信端末装置を良品として判定し、また、ＤＡＴＯ信号およびＤＡＴＩ信号がＨ論理であり、かつ、ＣＬＫ信号およびＳＹＮＣ信号がＬ論理ではない場合は通信端末装置を不良品として判定する第２の判定処理と、を実行させることを特徴とする。
【００１１】
請求項６記載の発明は、請求項５記載の発明において、通信端末装置は、無線制御部内に備えられた複数のＩＯポートのうち、ＤＡＴＩ信号に接続されているＩＯポートの代わりにＡ／Ｄコンバータを備えており、通信端末装置に、第１の論理読出処理及び第２の論理読出処理において、Ａ／ＤコンバータにてＤＡＴＩ信号の電圧を読み出す処理を実行させることを特徴とする。
【００１２】
請求項７記載の発明は、音声信号をデジタル信号化して伝達するＰＣＭデータラインと、音声通信を無線で行うための制御を行う無線制御部とが接続され、ＰＣＭデータラインを構成する複数の信号がそれぞれ接続される複数のＩＯポートを無線制御部内に備えた通信端末装置であって、無線制御部に内蔵された複数のＩＯポートから論理を読み出し、読み出し結果に基づいて、通信端末装置が良品か不良品かを判定することを特徴とする。
【００１３】
請求項８記載の発明は、請求項７記載の発明において、通信端末装置は、無線制御部と、入力される音声信号を音声データに変換する処理、および、出力される音声データを音声信号に変換する処理を行う音声処理部と、無線制御部および音声処理部の制御を行う制御部と、を有し、制御部と、無線制御部および音声処理部とが、ＰＣＭデータラインで共有接続されており、ＰＣＭデータラインは、ＰＣＭデータを出力するＤＡＴＯ信号、ＰＣＭデータラインのタイミングを取るＣＬＫ信号およびＳＹＮＣ信号、ＰＣＭデータを入力するＤＡＴＩ信号の４つの信号で構成され、制御部には、４つの信号が割り当てられており、無線制御部内に備えられた複数のＩＯポートは、抵抗による内部プルアップを設定可能な第１のスイッチをそれぞれ備え、音声処理部は、ＤＡＴＯ信号の入力を内部でループバックしてＤＡＴＩ信号に出力するための第２のスイッチと、ＤＡＴＩ信号に出力する信号の切り替えを行う第３のスイッチと、を備え、無線制御部は、４つの信号がそれぞれ接続されている各ＩＯポートの論理を読み出し、制御部は、読み出し結果が、すべてＬ論理ではない場合、通信端末装置を不良品として判定し、読み出し結果が、すべてＬ論理である場合、無線制御部は、ＤＡＴＯ信号に接続されているＩＯポートの出力をＨ論理に設定し、音声処理部は、第２のスイッチをＯＮに設定し、無線制御部は、ＣＬＫ信号およびＳＹＮＣ信号にそれぞれ接続されている各ＩＯポートに内蔵された第１のスイッチをＯＮに設定し、無線制御部は、４つの信号がそれぞれ接続されている各ＩＯポートの論理を再び読み出し、制御部は、読み出し結果が、ＤＡＴＯ信号およびＤＡＴＩ信号がＨ論理であり、かつ、ＣＬＫ信号およびＳＹＮＣ信号がＬ論理である場合は通信端末装置を良品として判定し、また、ＤＡＴＯ信号およびＤＡＴＩ信号がＨ論理であり、かつ、ＣＬＫ信号およびＳＹＮＣ信号がＬ論理ではない場合は通信端末装置を不良品として判定することを特徴とする。
【００１４】
請求項９記載の発明は、請求項８記載の発明において、通信端末装置は、無線制御部内に備えられた複数のＩＯポートのうち、ＤＡＴＩ信号に接続されているＩＯポートの代わりにＡ／Ｄコンバータを備え、無線制御部は、論理の読み出しの際、Ａ／ＤコンバータにてＤＡＴＩ信号の電圧を読み出すことを特徴とする。
【発明の効果】
【００１５】
本発明によれば、通信端末装置の検査方法において、ワイヤレス機器での通話試験を実施することなく、音声信号ラインの接続確認を容易に実施することが可能となる。
【発明を実施するための最良の形態】
【００１６】
以下、本発明を実施するための最良の形態について添付図面を参照して詳細に説明する。
【００１７】
本発明は、携帯電話等の通信端末装置の検査方法であり、音声信号をデジタル信号化して伝達するＰＣＭ（Pulse Code Modulation）データラインに、音声通信を無線で行う制御を行うＩＣが接続されている通信端末装置において、コマンドにて、ＩＣに内蔵されたＩＯポートのＨ論理／Ｌ論理を出力および読み出す手段を使用することにより、ＰＣＭデータライン検査を簡易な設備で試験できることを特徴としている。
【実施例１】
【００１８】
本発明の実施例１について図面を参照して詳細に説明する。
図１は、本実施例１に係る携帯端末機の回路構成を示す図である。図１に示すように、本実施例の携帯電話機は、携帯電話機の制御を行う制御部３と、制御部３から信号線を介して、アンテナ部１を介して無線データの送受信を行う無線Ａ部２と、携帯電話機を外部から制御するコマンドを入力するコマンド入力部７と、不揮発性メモリによって構成され、コマンド入力部７からの制御コマンドを解釈し、無線制御部１０および音声処理部１１を制御するプログラムを格納するメモリ部５と、アンテナ８および無線Ｂ部９を介してワイヤレスヘッドセット機器との音声通信を無線で行うための制御を行う無線制御部１０と、音声変換処理を行う音声処理部１１と、使用者が携帯電話機の操作するためのキー入力部４と、画面の表示を行う表示部６と、を有して構成されている。
【００１９】
図１において、制御部３は、信号線２１，２３を介して無線制御部１０および音声処理部１１の制御を行う。制御部３と、無線制御部１０および音声処理部１１とは、音声信号をデジタル信号化して送受信するためのＰＣＭデータライン２２を共有接続している。
【００２０】
音声処理部１１は、マイク１４から入力される使用者の音声信号を音声データに変換し、その音声データを制御部３および無線制御部１０に出力する音声変換処理を行う。また、音声処理部１１は、制御部３および無線制御部１０から出力される音声データを音声信号に変換し、その音声信号をスピーカ１２およびレシーバ１３に出力する音声変換処理を行う。
【００２１】
図２は、制御部３と、無線制御部１０および音声処理部１１とのＰＣＭデータライン接続の詳細を示した図である。図２に示すように、ＰＣＭデータラインは、信号１０１，１０２，１０３，１０４の４本から構成される。制御部３では、信号１０１がＰＣＭデータを出力するＤＡＴＯ信号、信号１０２，１０３がＰＣＭデータラインのタイミングを取るＣＬＫ信号出力およびＳＹＮＣ信号出力、信号１０４がＰＣＭデータを入力するＤＡＴＩ信号として割り当てられており、初期状態では、ＤＡＴＯ信号はＨｉｚ出力、ＣＬＫ信号およびＳＹＮＣ信号はＬ論理出力となっている。
【００２２】
図２において、無線制御部１０は、内部に、各信号を入出力可能な４つのＩＯポート１０５を有し、スイッチ１０６により、抵抗による内部プルアップを設定可能である。
【００２３】
図２において、音声処理部１１は、信号１０１の入力を内部でループバックして信号１０４に出力するためのスイッチ１０７と、信号１０４に出力する信号の切り替えを行うスイッチ１０８と、を有する。また、論理不定信号対策のために、抵抗による内部プルダウンを有する。
【００２４】
本実施例の動作について図面を参照して詳細に説明する。
図３は、初期状態における、制御部３，音声処理部１１，無線制御部１０の各端子の状態を示す表であり、図４は、初期状態における、内蔵するスイッチの状態を示す表である。また、図５は、無線制御部検査時における、制御部３，音声処理部１１，無線制御部１０の各端子の状態を示す表であり、図６は、無線制御部検査時における、内蔵するスイッチの状態を示す表である。図７は、本実施例のＰＣＭデータライン検査の動作を示すフローチャートである。
【００２５】
図７において、はじめに、無線制御部１０において、各信号１０１〜１０４が接続されているＩＯポート１０５の論理を読み出す（ステップＳ１）。このときの各端子およびスイッチの設定は、図３、図４に示すように、信号１０１，１０２，１０３，１０４はＬ論理の状態となっている。
【００２６】
ＩＯポート１０５での読み出し結果がすべてＬ論理であれば（ステップＳ２／ＹＥＳ）、無線制御部１０において、信号１０１に接続されているＩＯポート１０５の出力をＨ論理に設定する（ステップＳ３）。一方、ＩＯポート１０５での読み出し結果がすべてＬ論理で無い場合は（ステップＳ２／ＮＯ）、検査結果を不良品として判断する（ステップＳ９）。
【００２７】
次に、音声処理部１１において、スイッチ１０７をＯＮに設定する（ステップＳ４）。
【００２８】
次に、無線制御部１０において、信号１０２および１０３に接続されているＩＯポート１０５に内蔵のスイッチ１０６をＯＮに設定する（ステップＳ５）。
【００２９】
次に、無線制御部１０において、各信号１０１〜１０４が接続されているＩＯポート１０５の論理を読み出す（ステップＳ６）。このときの各端子およびスイッチの設定は、図５、図６に示すように、信号１０１，１０４はＨ論理の状態、一方、信号１０２，１０３は無線制御部１０にてプルアップ設定をするが、制御部３によるＬ論理出力により、Ｌ論理の状態となっている。
【００３０】
ＩＯポート１０５での読み出し結果が、信号１０１，１０４はＨ論理の状態、信号１０２，１０３はＬ論理の状態であれば（ステップＳ７／ＹＥＳ）、検査結果を良品として判断する（ステップＳ８）。一方、ＩＯポート１０５での読み出し結果が、信号１０１，１０４はＨ論理の状態、信号１０２，１０３はＬ論理の状態では無い場合は（ステップＳ７／ＮＯ）、検査結果を不良品として判断する（ステップＳ９）。
【００３１】
以上説明したように、本発明の実施例１によれば、図１の携帯電話機において、コマンドにて無線制御部（ＩＣ）１０に内蔵されたＩＯポートのＨ論理／Ｌ論理を出力および読み出す手段を使用して、制御部３および音声処理部１１と接続されているＰＣＭデータラインの接続検査を行うことにより、ワイヤレス機器での通話試験を実施することなく、容易に無線制御部１０の接続確認を実施することができる。
【実施例２】
【００３２】
次に、本発明の実施例２について図面を参照して詳細に説明する。
図８を参照すると、本実施例２では、図２に示す無線制御部１０内部の信号１０４に接続されたＩＯポート１０５の代わりに、Ａ／Ｄコンバータ２０１を使用する点で上記実施例１と異なる。すなわち、無線制御部１０において、各信号１０１〜１０４の論理を読み出す際に、信号１０１〜１０３はＩＯポート１０５を使用するが、信号１０４はＡ／Ｄコンバータ２０１を使用する。
【００３３】
本実施例の動作について図面を参照して詳細に説明する。
図９において、はじめに、無線制御部１０において、各信号１０１〜１０３に接続されているＩＯポート１０５の論理を読み出し、また、Ａ／Ｄコンバータ２０１で信号１０４の電圧を読み出す（ステップＳ１１）。
【００３４】
ＩＯポート１０５およびＡ／Ｄコンバータ２０１での読み出し結果がすべてＬ論理であれば（ステップＳ１２／ＹＥＳ）、無線制御部１０において、信号１０１に接続されているＩＯポート１０５の出力をＨ論理に設定する（ステップＳ１３）。一方、ＩＯポート１０５およびＡ／Ｄコンバータ２０１での読み出し結果がすべてＬ論理で無い場合は（ステップＳ１２／ＮＯ）、検査結果を不良品として判断する（ステップＳ１９）。
【００３５】
次に、音声処理部１１において、スイッチ１０７をＯＮに設定する（ステップＳ１４）。
【００３６】
次に、無線制御部１０において、信号１０２および１０３に接続されているＩＯポート１０５に内蔵のスイッチ１０６をＯＮに設定する（ステップＳ１５）。
【００３７】
次に、無線制御部１０において、各信号１０１〜１０３が接続されているＩＯポート１０５の論理を読み出し、また、Ａ／Ｄコンバータ２０１で信号１０４の電圧を読み出す（ステップＳ１６）。
【００３８】
ＩＯポート１０５およびＡ／Ｄコンバータ２０１での読み出し結果が、信号１０１，１０４はＨ論理の状態、信号１０２，１０３はＬ論理の状態であれば（ステップＳ１７／ＹＥＳ）、検査結果を良品として判断する（ステップＳ１８）。一方、ＩＯポート１０５およびＡ／Ｄコンバータ２０１での読み出し結果が、信号１０１，１０４はＨ論理の状態、信号１０２，１０３はＬ論理の状態では無い場合は（ステップＳ１７／ＮＯ）、検査結果を不良品として判断する（ステップＳ１９）。
【００３９】
以上説明したように、本発明の実施例２によれば、図１の携帯電話機において、コマンドにて無線制御部（ＩＣ）１０に内蔵されたＩＯポートおよびＡ／ＤコンバータのＨ論理／Ｌ論理を出力および読み出す手段を使用して、制御部３および音声処理部１１と接続されているＰＣＭデータラインの接続検査を行うことにより、ワイヤレス機器での通話試験を実施することなく、容易に無線制御部１０の接続確認を実施することができる。
【００４０】
以上、本発明の実施例１，２について説明したが、上記各実施例の記載に限定されるものではなく、その要旨を逸脱しない範囲において種々の変形が可能である。
【産業上の利用可能性】
【００４１】
本発明は、音声信号をデジタル信号化して伝達するＰＣＭデータラインに対して音声を無線で送信するＩＣが接続されている装置（機器）の検査方法に適用できる。
【図面の簡単な説明】
【００４２】
【図１】本発明の実施例１，２である携帯端末機の回路構成を示すブロック図である。
【図２】本発明の実施例１である携帯端末機における、制御部３と、無線制御部１０および音声処理部１１とのＰＣＭデータライン接続の詳細を示すブロック図である。
【図３】本発明の実施例１である携帯端末機における、初期状態の、制御部３，音声処理部１１，無線制御部１０の各端子の状態を示す表である。
【図４】本発明の実施例１である携帯端末機における、初期状態の、内蔵するスイッチの状態を示す表である。
【図５】本発明の実施例１である携帯端末機における、無線制御部検査時の、制御部３，音声処理部１１，無線制御部１０の各端子の状態を示す表である。
【図６】本発明の実施例１である携帯端末機における、無線制御部検査時の、内蔵するスイッチの状態を示す表である。
【図７】本発明の実施例１に係るＰＣＭデータライン検査の動作を示すフローチャートである。
【図８】本発明の実施例２である携帯端末機における、制御部３と、無線制御部１０および音声処理部１１とのＰＣＭデータライン接続の詳細を示すブロック図である。
【図９】本発明の実施例２に係るＰＣＭデータライン検査の動作を示すフローチャートである。
【符号の説明】
【００４３】
１、８    アンテナ部
２    無線Ａ部
３    制御部
４    キー入力部
５    メモリ部
６    表示部
７    コマンド入力部
９    無線Ｂ部
１０    無線制御部
１１    音声処理部
１２    スピーカ
１３    レシーバ
１４    マイク
２１、２３    信号線
２２    ＰＣＭデータライン
１０１、１０２、１０３、１０４    信号
１０５    ＩＯポート
１０６、１０７、１０８    スイッチ
２０１    Ａ／Ｄコンバータ
【図１】
2008147854.tif 000003
【図２】
2008147854.tif 000004
【図３】
2008147854.tif 000005
【図４】
2008147854.tif 000006
【図５】
2008147854.tif 000007
【図６】
2008147854.tif 000008
【図７】
2008147854.tif 000009
【図８】
2008147854.tif 000010
【図９】
2008147854.tif 000011